(57)【要約】      （修正有）【課題】筆記後、迅速に熱変色作業に移行でき、しかも、筆記時及び摩擦時の安定した把持が可能となる熱変色性筆記具を提供する。【解決手段】筆記具本体２の内部に熱変色性インキを収容する。筆記具本体２の前端に、熱変色性インキが吐出可能なペン先２１を設ける。筆記具本体２の外面に、熱変色性インキの筆跡を摩擦しその際に生じる摩擦熱で該筆跡が熱変色可能な摩擦部を設ける。筆記具本体２の前部外面に弾性部材３を設ける。弾性部材３が、筆記時には手指等で把持可能な把持部となり、熱変色性インキの筆跡を摩擦する際には把持部及び摩擦部となる。弾性部材３の外面が筆記具本体２前部の最大外径部３２を有する。弾性部材３の外面が筆記具本体２前部の最大外径部３２を構成する。弾性部材３を貫通する取付孔３１に、筆記具本体２が着脱自在に挿着される。【選択図】図１
0003167395.tif 000002
【実用新案登録請求の範囲】
【請求項１】
筆記具本体の内部に熱変色性インキを収容し、前記筆記具本体の前端に、熱変色性インキが吐出可能なペン先を設け、前記筆記具本体の外面に、熱変色性インキの筆跡を摩擦しその際に生じる摩擦熱で該筆跡が熱変色可能な摩擦部を設けた熱変色性筆記具であって、筆記具本体の前部外面に弾性部材を設け、前記弾性部材が、筆記時には手指等で把持可能な把持部となり、熱変色性インキの筆跡を摩擦する際には把持部及び摩擦部となることを特徴とする熱変色性筆記具。
【請求項２】
前記弾性部材の外面が筆記具本体前部の最大外径部を構成する請求項１記載の熱変色性筆記具。
【請求項３】
前記弾性部材に取付孔が貫通され、前記取付孔に筆記具本体が着脱自在に挿着される請求項１または２記載の熱変色性筆記具。
【考案の詳細な説明】
【技術分野】
【０００１】
本考案は、熱変色性筆記具に関する。詳細には、筆記具本体の内部に熱変色性インキを収容し、前記筆記具本体の外面に、熱変色性インキの筆跡を摩擦しその際に生じる摩擦熱で該筆跡が熱変色可能な摩擦部を設けた熱変色性筆記具に関する。
【背景技術】
【０００２】
従来、特許文献１には、熱変色性インキによる筆跡を摩擦熱で熱変色させるための摩擦体を、筆記具本体の後端に設ける構成が記載されている。
【０００３】
【特許文献１】特開２００４−１４８７４４号公報
【考案の開示】
【考案が解決しようとする課題】
【０００４】
前記従来の熱変色性筆記具は、筆記後、筆跡を摩擦する場合、筆記具本体を反転させ大きく持ち替える必要があり、迅速に熱変色作業に移行できないおそれがある。
【０００５】
本考案は、前記従来の問題点を解決するものであり、筆記後、迅速に熱変色作業に移行でき、しかも、筆記時及び摩擦時の安定した把持が可能となる熱変色性筆記具を提供しようとするものである。
【課題を解決するための手段】
【０００６】
［１］本願の第１の考案は、筆記具本体２の内部に熱変色性インキを収容し、前記筆記具本体２の前端に、熱変色性インキが吐出可能なペン先２１を設け、前記筆記具本体２の外面に、熱変色性インキの筆跡を摩擦しその際に生じる摩擦熱で該筆跡が熱変色可能な摩擦部を設けた熱変色性筆記具であって、筆記具本体２の前部外面に弾性部材３を設け、前記弾性部材３が、筆記時には手指等で把持可能な把持部となり、熱変色性インキの筆跡を摩擦する際には把持部及び摩擦部となること（請求項１）を要件とする。
【０００７】
前記第１の考案の熱変色性筆記具１は、筆記後、弾性部材３を手指等で把持した状態のまま摩擦変色作業を行うことができ、筆記具本体２を大きく持ち替えることが不要となるため、筆記後、迅速に熱変色作業に移行できる。また、前記第１の考案の熱変色性筆記具１は、筆記時及び摩擦時、弾性部材を手指等で把持することにより安定した把持が可能となる。また、前記第１の考案の熱変色性筆記具１は、摩擦部と把持部を別部品で構成する場合に比べ、部品数が減少し、製造コストを安価に抑えることができる。
【０００８】
［２］本願の第２の考案は、前記第１の考案において、前記弾性部材３の外面が筆記具本体２前部の最大外径部３２を構成すること（請求項２）を要件とする。
【０００９】
前記第２の考案の熱変色性筆記具１は、摩擦時、弾性部材３において把持部と摩擦部とを容易に得ることができ、弾性部材３で熱変色性の筆跡を容易に摩擦変色することができる。
【００１０】
［３］本願の第３の考案は、前記第１または２の考案において、前記弾性部材３に取付孔３１が貫通され、前記取付孔３１に筆記具本体２が着脱自在に挿着されること（請求項３）を要件とする。
【００１１】
前記第３の考案の熱変色性筆記具１は、弾性部材３に筆記具本体２が着脱自在に構成されることにより、摩擦時、弾性部材３を筆記具本体２から分離して使用することができるとともに、弾性部材３を交換することが可能となる。
【００１２】
・弾性部材
尚、本考案で、前記弾性部材３は弾性材料からなる。前記弾性材料は、弾性を有する合成樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、オレフィン系樹脂、エチレンプロピレンジエンゴム（ＥＰＤＭ）等が挙げられる。
【００１３】
前記弾性材料は、高摩耗性の弾性材料（例えば、消しゴム等）からなるものよりも、摩擦時に磨耗屑が殆ど生じない低摩耗性の弾性材料からなることが好ましい。
【００１４】
・熱変色性インキ
尚、本考案で、前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００１５】
本考案では、図７に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、又は完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図７において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１６】
前記実質的二相保持温度域は、目的に応じて設定できるが、本考案では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦体による摩擦熱で容易に変色することができる。
【考案の効果】
【００１７】
本考案の熱変色性筆記具は、筆記後、迅速に熱変色作業に移行でき、しかも、筆記時及び摩擦時の安定した把持が可能となる。
【考案を実施するための最良の形態】
【００１８】
＜第１の実施の形態＞
本考案の第１の実施の形態を図１乃至図３に示す。
本考案の熱変色性筆記具１は、筆記具本体２と、該筆記具本体２の前部外面に設けられる弾性部材３とからなる。
【００１９】
・筆記具本体
前記筆記具本体２の内部には、熱変色性インキが収容される。前記筆記具本体２の前端には、前記熱変色性インキが吐出可能なペン先２１が設けられる。前記ペン先２１より熱変色性インキが吐出され、紙面等の被筆記面上に熱変色性インキの筆跡（熱変色性の筆跡）が得られる。前記筆記具本体２の前部外周面には環状凹部２２が形成される。
【００２０】
・熱変色性インキ
前記熱変色性インキは、低温側変色点（完全発色温度ｔ１）が−３０℃〜−１０℃の範囲の任意の温度に設定され、高温側変色点（完全消色温度ｔ４）が６０℃〜８０℃の範囲の任意の温度に設定され、ヒステリシス幅ΔＨが４０℃〜６０℃の範囲を示す可逆熱変色性インキが採用される。
【００２１】
・ペン先
前記ペン先２１は、例えば、前端に回転可能にボールが抱持されたボールペンチップ、繊維加工体または多孔質体からなるマーキングペン用チップ等が挙げられる。
【００２２】
・弾性部材
前記弾性部材３は、前端と後端の間の中間部外周面に環状膨出部３２を備え且つ内部に取付孔３１が前後方向に貫設された筒状体からなる。前記弾性部材３は、弾性材料（例えば、シリコーン樹脂、ＳＢＳ樹脂、ＳＥＢＳ樹脂、エチレンプロピレンジエンゴム等）から形成される。前記弾性部材３の取付孔３１に、筆記具本体２の外面（即ち環状凹部２２の外面）が嵌合され、弾性部材３が筆記具本体２の外面に固定される。前記環状膨出部３２が、筆記具本体２前部の最大外径部を構成する。
【００２３】
・作用
本実施の形態の熱変色性筆記具１は、筆記時及び摩擦時、弾性部材３が手指等で把持可能な把持部となり、弾性部材３を安定して把持でき、しかも、筆記後に迅速に熱変色作業に移行でき、且つ、摩擦後に迅速に筆記作業に移行できる。
【００２４】
また、本実施の形態の熱変色性筆記具１は、弾性部材３の外面が筆記具本体２前部の最大外径部３２を構成するため、摩擦時、弾性部材３において把持部と摩擦部とを容易に得ることができ、弾性部材３で熱変色性の筆跡を容易に摩擦変色することができる。
【００２５】
また、本実施の形態の熱変色性筆記具１は、弾性部材３が前後に貫通する取付孔３１を備え、前記取付孔３１に筆記具本体２が着脱自在に挿着されることにより、摩擦時、弾性部材３を筆記具本体２から分離して使用することができるとともに、弾性部材３を交換することが可能となる。
【００２６】
＜第２の実施の形態＞
本考案の第２の実施の形態を図４乃至図６に示す。
本考案の熱変色性筆記具１は、筆記具本体２と、該筆記具本体２の前部外面に設けられる弾性部材３とからなる。
【００２７】
・筆記具本体
前記筆記具本体２の内部には、熱変色性インキが収容される。前記筆記具本体２の前端には、前記熱変色性インキが吐出可能なペン先２１が設けられる。前記ペン先２１より熱変色性インキが吐出され、紙面等の被筆記面上に熱変色性インキの筆跡（熱変色性の筆跡）が得られる。前記筆記具本体２の前部外周面には環状凹部２２が形成される。
【００２８】
・ペン先
前記ペン先２１は、例えば、前端に回転可能にボールが抱持されたボールペンチップ、繊維加工体または多孔質体からなるマーキングペン用チップ等が挙げられる。
【００２９】
・弾性部材
前記弾性部材３は、前端部外周面及び後端部外周面に環状膨出部３２を備え且つ内部に取付孔３１が前後方向に貫設された筒状体からなる。前記弾性部材３は、弾性材料（例えば、シリコーン樹脂、ＳＢＳ樹脂、ＳＥＢＳ樹脂、エチレンプロピレンジエンゴム等）から形成される。前記弾性部材３の取付孔３１に、筆記具本体２の外面（即ち環状凹部２２の外面）が嵌合され、弾性部材３が筆記具本体２の外面に固定される。前記環状膨出部３２が、筆記具本体２前部の最大外径部を構成する。
【００３０】
・作用
本実施の形態の熱変色性筆記具１は、筆記時及び摩擦時、弾性部材３が手指等で把持可能な把持部となり、弾性部材３を安定して把持でき、しかも、筆記後に迅速に熱変色作業に移行でき、且つ、摩擦後に迅速に筆記作業に移行できる。
【００３１】
また、本実施の形態の熱変色性筆記具１は、弾性部材３の外面が筆記具本体２前部の最大外径部３２を構成するため、摩擦時、弾性部材３において把持部と摩擦部とを容易に得ることができ、弾性部材３で熱変色性の筆跡を容易に摩擦変色することができる。
【００３２】
また、本実施の形態の熱変色性筆記具１は、弾性部材３が前後に貫通する取付孔３１を備え、前記取付孔３１に筆記具本体２が着脱自在に挿着されることにより、摩擦時、弾性部材３を筆記具本体２から分離して使用することができるとともに、弾性部材３を交換することが可能となる。
【図面の簡単な説明】
【００３３】
【図１】本考案の第１の実施の形態の要部縦断面図である。
【図２】図１の筆記具本体の正面図である。
【図３】図１の弾性部材の縦断面図である。
【図４】本考案の第２の実施の形態の要部縦断面図である。
【図５】図４の筆記具本体の正面図である。
【図６】図４の弾性部材の縦断面図である。
【図７】熱変色性インキの変色挙動を示す説明図である。
【符号の説明】
【００３４】
１  熱変色性筆記具
２  筆記具本体
２１  ペン先
２２  環状凹部
３  弾性部材
３１  取付孔
３２  環状膨出部（最大外径部）
【図１】
0003167395.tif 000003
【図２】
0003167395.tif 000004
【図３】
0003167395.tif 000005
【図４】
0003167395.tif 000006
【図５】
0003167395.tif 000007
【図６】
0003167395.tif 000008
【図７】
0003167395.tif 000009